(57)【要約】      （修正有）【課題】鋼管杭を打ち込みアンカーボルトを省くと共に、鋼管杭の打ち込み位置がずれていても土台梁との連結を容易に調整でき、作業性を向上させ、施工費を大幅に低減した土台梁と鋼管杭との連結調整金具を提供する。【解決手段】土台梁４の底部と、地中に埋設した鋼管杭６とを連結する金具であって、ベース板８の底部に、地上に突出した鋼管杭６の頭部に被せてこれと連結する円筒状の杭連結部９を取付け、ベース板８の上面に、断面コ字形の可動ブラケット１３を設ける。この底面板１３ａに長孔１５を開孔すると共に、この長孔１５にベース板８と接続するボルト１９を取付けて可動ブラケット１３を可動および固定可能に取付け、可動ブラケット１３の上面板１３ｂの、長孔１５の端部の上方に位置する部分にボルト取付孔１７を開孔し、ここに土台梁４をボルトで連結したものである。【選択図】図１
0003184745.tif 000002
【実用新案登録請求の範囲】
【請求項１】
土台梁の底部と、地中に埋設した鋼管杭とを連結する金具であって、ベース板の底部に、地上に突出した鋼管杭の頭部に被せてこれと連結する円筒状の杭連結部を取付け、前記ベース板の上面に、断面コ字形または断面Ｉ字形の可動ブラケットを設け、この可動ブラケットの底面板に長孔を開孔すると共に、この長孔に前記ベース板と接続するボルトを取付けて可動ブラケットを可動および固定可能に取付け、可動ブラケットの上面板の、前記長孔の端部の上方に位置する部分にボルト取付孔を開孔し、ここに土台梁をボルトで連結して構成され、土台梁と鋼管杭との位置ずれを、可動ブラケットの移動回転により調整するようにしたことを特徴とする土台梁と鋼管杭との連結調整金具。
【請求項２】
可動ブラケットがベース板の上面を、回転および左右に移動自在に支持されていることを特徴とする請求項１記載の土台梁と鋼管杭との連結調整金具。
【請求項３】
断面コ字形または断面Ｉ字形の可動ブラケットの底面板に開孔した長孔の両端が半円形状に形成され、長孔の一方の半円形部の中心と、可動ブラケットの上面板に開口したボルト取付孔の中心を一致させたことを特徴とする請求項１記載の土台梁と鋼管杭との連結調整金具。
【請求項４】
土台梁が、太陽光パネルを支持する架台を取付けるようにしたことを特徴とする請求項１記載の土台梁と鋼管杭との連結調整金具。
【考案の詳細な説明】
【技術分野】
【０００１】
本考案は、複数の太陽光パネルを支持する架台を直線状に隣接して配置する土台梁や鉄骨構造建築物の土台梁底部と、地中に埋設した鋼管杭との位置を調整して連結する連結調整金具に関するものである。
【背景技術】
【０００２】
一般に太陽光パネルは複数枚並べて直線状に配置されているが、これら太陽光パネルを支持する架台は、土台梁の上に取付けられている。土台梁は、地中に打設したコンクリートから突設したアンカーボルトに連結して支持している（特許文献１の図１１、図１２）。しかしながら、コンクリートは間隔をおいて打設し、ここから間隔をおいて突設したアンカーボルトが、所定の間隔で直線状に配置されていないと、この上に連結する土台梁のボルト取付孔と一致しない。このため修正作業に手間がかかり、またアンカーボルトを支持するコンクリートの打設を行なわなければならず、作業性が悪く施工費が高くなる問題があった。
【先行技術文献】
【特許文献】
【０００３】
【特許文献１】特開２０１２−１７２４５４号公報
【考案の概要】
【考案が解決しようとする課題】
【０００４】
本考案は上記問題を改善し、アンカーボルトを支持するコンクリートを打設せず鋼管杭を打ち込んで、アンカーボルトを省くと共に、鋼管杭がずれていても土台梁のボルト取付孔との連結を容易に調整でき、作業性を向上させると共に、施工費を大幅に低減した土台梁と鋼管杭との連結調整金具を提供するものである。
【課題を解決するための手段】
【０００５】
本考案の請求項１記載の土台梁と鋼管杭との連結調整金具は、土台梁の底部と、地中に埋設した鋼管杭とを連結する金具であって、ベース板の底部に、地上に突出した鋼管杭の頭部に被せてこれと連結する円筒状の杭連結部を取付け、前記ベース板の上面に、断面コ字形または断面Ｉ字形の可動ブラケットを設け、この可動ブラケットの底面板に長孔を開孔すると共に、この長孔に前記ベース板と接続するボルトを取付けて可動ブラケットを可動および固定可能に取付け、可動ブラケットの上面板の、前記長孔の端部の上方に位置する部分にボルト取付孔を開孔し、ここに土台梁をボルトで連結して構成され、土台梁と鋼管杭との位置ずれを、可動ブラケットの移動回転により調整するようにしたことを特徴とするものである。
【０００６】
本考案の請求項２記載の土台梁と鋼管杭との連結調整金具は、請求項１において、可動ブラケットがベース板の上面を、回転および左右に移動自在に支持されていることを特徴とするものである。
【０００７】
本考案の請求項３記載の土台梁と鋼管杭との連結調整金具は、請求項１において、断面コ字形または断面Ｉ字形の可動ブラケットの底面板に開孔した長孔の両端が半円形状に形成され、長孔の一方の半円形部の中心と、可動ブラケットの上面板に開口したボルト取付孔の中心を一致させたことを特徴とするものである。
【０００８】
本考案の請求項４記載の土台梁と鋼管杭との連結調整金具は、請求項１において、土台梁が、太陽光パネルを支持する架台を取付けるようにしたことを特徴とするものである。
【考案の効果】
【０００９】
本考案に係る請求項１記載の土台梁と鋼管杭との連結調整金具によれば、作業効率の良い鋼管杭の打ち込みにより行ない、可動ブラケットの上面板に開孔したボルト取付孔と土台梁のボルトとがずれている場合には、可動ブラケットを回転・移動させることにより一定の範囲内のずれであれば調整できるので、作業性を向上させると共に、施工費を大幅に低減させることができる。
【００１０】
また請求項３記載の土台梁と鋼管杭との連結調整金具によれば、可動ブラケットがベース板の上面を、回転および左右に移動自在に支持されているので、可動ブラケットを移動させることにより、上面板に開孔したボルト取付孔の位置を調整することができる。
【００１１】
また請求項２記載の土台梁と鋼管杭との連結調整金具によれば、断面コ字形または断面Ｉ字形の可動ブラケットの底面板に開孔した長孔の両端が半円形状に形成され、長孔の一方の半円形部の中心と、可動ブラケットの上面板に開口したボルト取付孔の中心を一致させたので、可動ブラケットを移動させることにより、上面板に開孔したボルト取付孔は、ボルトを中心として長孔の平行部の長さの２倍の範囲内を移動して調整することができる。
【００１２】
また請求項４記載の土台梁と鋼管杭との連結調整金具によれば、土台梁が、太陽光パネルを支持する架台を取付けるようにしたので、太陽光パネルの設置が普及している現在、その作業性を大幅に向上させることができる。
【考案を実施するための最良の形態】
【００１３】
以下本考案の実施の一形態を図１ないし図９を参照して詳細に説明する。図１は連結調整金具１を示すもので、図８および図９に示すように太陽光パネル２を支持する架台３を取付けた土台梁４の底部と、地中５に埋設した鋼管杭６とを連結するものである。前記連結調整金具１は、図１および図２に示すように円形のベース板８の底部に、金属パイプで形成され杭連結部９が接合され、対向する部分にボルト取付孔１０、１０が開孔されている。
【００１４】
また円形のベース板８の上面中央部には図２に示すように、ねじ孔１２が開孔され、この上に断面コ字形の可動ブラケット１３が設けられている。この可動ブラケット１３の底面板１３ａに図４に示すように、両端が半円形状に形成された長孔１５を開孔すると共に、上面板８ｂには図３に示すようにボルト取付孔１７が開孔され、底面板８ａに開孔した長孔１５の一方の半円形部中心Ａと、上面板１３ｂに開口したボルト取付孔１７の中心Ｂが上下で一致している。
【００１５】
また長孔１５には図４に示すように、長孔１５の平行部の内幅より小さい外径のボルト１９がワッシャ１８を介して挿入され、先端がベース板８の中心に形成したねじ孔１２に螺合している。ボルト１９を緩めることにより図３および図４に示すように、可動ブラケット１３はボルト１９を中心として左右に回転自在に、且つ長孔１５に沿って前後に可動自在に移動できるようになっている。
【００１６】
上記構成の土台梁と鋼管杭との連結調整金具１を用いて太陽光パネル２を支持する架台３を取付ける土台梁４と、鋼管杭６とを接続する場合について説明する。先ず、太陽光パネル２の設置予定位置に沿って所定の間隔で、図２に示すように鋼管杭６を地中５に打ち込んでいく。この場合、鋼管杭６の内外表面がメッキされているものは防錆効果が高く好ましい。また予め鋼管杭６の頭部側にボルト２０を通すボルト取付孔２２、２２を開孔しておく。この鋼管杭６を打ち込み機で２ｍほど地中５に打ち込んで頭部の高さを揃える。
【００１７】
次に鋼管杭６の頭部に、連結調整金具１の金属パイプで形成した杭連結部９を被せてから、このボルト取付孔１０と鋼管杭６のボルト取付孔２２にボルト２０を通してナット２１で固定する。この後。ベース板８と可動ブラケット１３を連結する長孔１５内のボルト１９を緩めると、図４に示すように、可動ブラケット１３はボルト１９を中心として左右に回転自在に、且つ長孔１５に沿って前後に可動自在に移動できるので、可動ブラケット１３の上面板１３ｂに開孔したボルト取付孔１７を、土台梁４のボルト取付孔２４に一致するように調整する。
【００１８】
つまり、可動ブラケット１３の上面板１３ｂに開孔したボルト取付孔１７と
つまり、鋼管杭６の中心と、土台梁４のボルト取付孔２４とが一致している時には、図５に示すようベース板８に取付けたボルト１９が長孔１５の一方の半円形部中心Ａに位置するように移動させると、この上方のボルト取付孔１７と土台梁４のボルト取付孔２４とが一致する。
【００１９】
また可動ブラケット１３の上面板１３ｂに開孔したボルト取付孔１７と土台梁４のボルト取付孔２４とがずれている場合には、可動ブラケット１３を回転や前後に移動させて調整する。例えば長孔１５の平行部の長さＬを５０ｍｍとすると、図６に示すようにボルト１９が長孔１５の他方の半円形部中心Ｃに位置するようにセットしてから、可動ブラケット１３を回転させることにより、上面板１３ｂに開孔したボルト取付孔１７は、ボルト１９を中心として直径１００ｍｍの範囲内を移動できる。
【００２０】
すなわち上面板１３ｂに開孔したボルト取付孔１７と、鋼管杭６の中心（ボルト１９の中心）が５０ｍｍ以内のずれであれば、どの方向でも調整して鋼管杭６と直線状の土台梁４とを連結することができる。土台梁４のボルト２５は所定の間隔で取付けられるので、図７に示すように鋼管杭６の打ち込み中心位置が土台梁４のボルト取付孔２４とずれていても、ボルト１９の長孔１５内の位置と、左右の回転方向を調整することにより連結することができる。調整位置が決まったらボルト１９を、ベース板８のねじ孔１２に螺合させて連結固定する。
【００２１】
次に、可動ブラケット１３の上面板１３ｂに開孔したボルト取付孔１７と、土台梁４のボルト取付孔２４が一致したら、図２に示すようにボルト２５をボルト取付孔２４、１７に通してナット２１で固定する。このように鋼管杭６を、連結調整金具１を介して土台梁４に順次連結する。この後、図８に示すように土台梁４と平行に、間隔をおいてもう１本の土台梁４を取付けてから、前後の土台梁４の上に架台３を取付ける。次に図９に示すように土台梁４の上に架台３を順次取付けてから、この架台３の上にそれぞれ太陽光パネル２を取付けて、平面状に形成する。
【００２２】
従って、従来のようにアンカーボルトを支持するコンクリートを打設する工程や養生工程、修正作業を省き、本考案は作業効率の良い鋼管杭６の打ち込みにより、位置ずれしていても一定の範囲内のずれであれは可動ブラケット１３を回転・移動させることにより調整できるので、作業性を向上させると共に、施工費を大幅に低減させることができる。
【００２３】
なお上記説明ではベース板８を円形の場合について示したが、正方形や多角形でも良い。また可動ブラケット１３として断面コ字形のものを用いたが、断面Ｉ字形のものでも良い。更に土台梁４に太陽光パネル２を支持する架台３を取付ける場合について説明したが、本考案はこれに限らず、鉄骨構造建築物の土台梁の支持にも広く適用することができる。
【図面の簡単な説明】
【００２４】
【図１】本考案の実施の一形態による土台梁と鋼管杭との連結調整金具を示す斜視図である。
【図２】図１の連結調整金具を示す縦断面図である。
【図３】図１の連結調整金具を示す平面図である。
【図４】図１の連結調整金具を示す水平断面図である。
【図５】図４の連結調整金具の可動ブラケットをずらせた状態を示す水平断面図である。
【図６】図５の連結調整金具の可動ブラケットを回転させた状態を示す水平断面図である。
【図７】土台梁とずれた位置に打ち込んだ鋼管杭を、連結調整金具で連結した状態を示す平面図である。
【図８】土台梁と鋼管杭を連結調整金具で連結し、土台梁の上に太陽光パネルの架台を取付けた状態を示す側面図である。
【図９】土台梁の上の架台に太陽光パネルを取付けた状態を示す正面図である。
【符号の説明】
【００２５】
１    連結調整金具                                          
２    太陽光パネル                                          
３    架台                                                  
４    土台梁                                                
５    地中                                                  
６    鋼管杭                                                
８    ベース板                                              
９    杭連結部                                              
１０  ボルト取付孔                                          
１２  ねじ孔                                                
１３  可動ブラケット                                        
１３ａ  底面板                                              
１３ｂ  上面板                                              
１５  長孔                                                  
１７  ボルト取付孔                                          
１８  ワッシャ                                              
１９  ボルト                                                
２０  ボルト                                                
２１  ナット        
２２  ボルト取付孔  
２４  ボルト取付孔    
２５  ボルト      
【図１】
0003184745.tif 000003
【図２】
0003184745.tif 000004
【図３】
0003184745.tif 000005
【図４】
0003184745.tif 000006
【図５】
0003184745.tif 000007
【図６】
0003184745.tif 000008
【図７】
0003184745.tif 000009
【図８】
0003184745.tif 000010
【図９】
0003184745.tif 000011